【事件の表示】
特許第２８９４２０１号「ＬＥＤ表示装置」の請求項１に係る特許に対する特許異議の申立てについて、次のとおり決定する。　　
【結　論】
特許第２８９４２９１号の請求項１に係る特許を維持する
【理　由】
１．手続きの経緯・本件発明
　特許第２８９４２０１号（平成６年１月３１日出願、平成１１年３月５日設定登録。）の請求項１に係る発明（以下、本件発明という。）は、その特許請求の範囲の請求項１に記載された下記の事項により特定されるとおりのものである。
　　　記
　複数のＬＥＤ素子が所定の配列状態で実装されているＬＥＤ部と、
　上記ＬＥＤ部において表示させるべき複数種類の画像がドットパターンとして記憶され、アドレスを指定することによっていずれか１つのドットパターンを読出すことができる記憶手段と、
　上記ＬＥＤ部において表示させるべき画像を指定するための表示画像指定信号が外部から入力され、この表示画像指定信号を上記記憶手段にアドレスとして与える表示画像指定信号入力部と、
　上記記憶手段から読出されたドットパターンに基づいて、上記ＬＥＤ部のＬＥＤ素子を選択的に駆動する駆動手段とを含み、
　上記ＬＥＤ部、記憶手段、表示画像指定信号入力部および駆動手段が１つのユニットとして構成されており、上記外部から入力される表示画像指定信号が上記記憶手段に記憶されている画像データのアドレスを直接指示するようにされていて、ＣＰＵを要することなく画像を選択表示することを特徴とするＬＥＤ表示装置。
　
２．申立理由の概要
　特許異議申立人　高市御楯は、本件発明は下記の甲第１号証に記載された発明であるから、特許法第２９条第１項第３号に掲げる発明に該当し、特許を受けることができず、本件発明の特許を取り消すべきと主張している。
　　　　記
甲第１号証：Optoelectronics Designer's Catalog　Hewlett-Packard社発行（Copyright 1993）4-135〜4-150頁
　
３．甲第１号証の記載   　　
　上記甲第１号証には下記のとおりの記載がある。
　「これらのデバイスは８桁、５×７ドットマトリクス、アルファベット・数字併用のディスプレイである」（４−１３５頁左欄最下行−中欄２行）　
  「キャラクタRAM：このRAMはアスキー（カタカナ）キャラクタデータ又はUDC RAMアドレスを記憶する。
　ユーザー定義キャラクタRAM（UDC RAM）：このRAMはあつらえたキャラクタのためのドットパターンを記憶する。
　ユーザー定義キャラクタアドレスレジスタ（UDC Address Register）：このレジスタはユーザーがあつらえたキャラクタを書き込み、読み出しするときUDC RAMにアドレスを与えるために使われる。」（４−１４５頁表中）
　「第２図はキャラクタRAM・・にアクセスするために必要な論理値を示す。・・アスキーコード（カタカナ）を用いたキャラクタRAMのアドレス位置、および、UDC RAMのアドレスをともに記憶できる。データビットのＤ７がアスキー（カタカナ）キャラクタかUDC RAMのアドレスかを区別する。・・Ｄ０−Ｄ６はアスキー（カタカナ）データを、Ｄ０−Ｄ３はUDCアドレスを入力するのに利用される。」（４−１４５頁左下欄）
　「第３図はUDC RAMとUDCアドレスレジスタにアクセスするのに必要な論理値です。UDCアドレスレジスタは８ビット幅です。下位の４ビット（Ｄ０−Ｄ３）は、１６あるUDCのアドレス位置のうちの一つを選択するために使われます。上位の４ビット（Ｄ４−Ｄ７）は使用されません。UDCアドレスレジスタにUDCアドレスがいったんストアされた後に、UDC RAMに対するアクセスが可能となります。
　５×７ドットのキャラクタを規定するためには、８回の書き込みサイクルが要求される。最初の１回はUDCアドレスレジスタにUDC RAMアドレスをストアするために使用され、残りの７回はUDC RAMにドットデータを書き込むために使用される。・・
第４図は”Ｆ”がUDCキャラクタとしてストアされた文字であった場合の様子を示す。Ａ０−Ａ２が行にアクセスするために使われ、Ｄ０−Ｄ４がその行のドットデータを送るために使われる。」（４−１４６頁左欄３−３０行）
　そして、第１図を見ると、外部から入力されたＤ０〜Ｄ７はUDCアドレスレジスタに入力されるとともに、Ｄ０〜Ｄ４は直接UDC RAMに入力されているとともに、同図には８　５×７ＬＥＤキャラクターズ、ドットドライバなる装置が記載されている。
　また、４−１３８頁の表より、Ｄ０〜Ｄ７の論理値の組み合わせにより、所望の文字が選択されることが、そして、選択される文字は５×７のドットデータで構成されていることが見て取れる。　
４．対比・判断
　本件発明と上記甲第１号証に記載された発明とを対比すると、甲第１号証には「上記外部から入力される表示画像指定信号が上記記憶手段に記憶されている画像データのアドレスを直接指示するようにされていて」の記載がない。
　すなわち、本件発明は、外部から入力された表示画像指定信号が、画像指定のためのアドレス指示のために、ドットパターンが記憶される記憶手段に直接入力されるものであるのに対し、上記甲第１号証に記載されたものは、アドレス信号としてのＤ０−Ｄ７は、一度UDCアドレスレジスタ、または、キャラクタRAMに入力・記憶され、表示に必要なキャラクタのコードを選択するときには、上記UDCアドレスレジスタ、または、キャラクタRAMに記憶されたデータを用いて表示を行っているものである。
　なお、特許異議申立人は、この点に関し、上記甲第１号証記載のものも「外部から信号Ｄ０〜Ｄ７が「UDCRAM」に記憶されている画像データのアドレスを直接指示するようにされていて」と主張しているから、この点について、詳細に検討する。
　上記甲第１号証の図１を見ると、入力されたＤ０〜Ｄ７は、UDCアドレスレジスタに供給され、さらに、そのうちのＤ０〜Ｄ４は直接「UDC RAM」にも供給されている。
　ここで、Ｄ０〜Ｄ７がUDCアドレスレジスタに供給される場合は、Ｄ０〜Ｄ７は、「UDC RAM」のアドレスを指定するために用いられるものの、一旦UDCアドレスレジスタにストアされることから、この場合のＤ０〜Ｄ７は直接UDC RAMのアドレスを指示していない。
　加えて、Ｄ０〜Ｄ４のみが直接「UDC RAM」に供給される場合は、「UDC RAM」にユーザーが自分であつらえた文字を作成するときのドット位置を指定するためにＤ０〜Ｄ４の信号を用いている。したがって、上記Ｄ０〜Ｄ４が「UDC RAM」に直接供給される場合には、上記Ｄ０〜Ｄ４は、「UDC RAM」に記憶されたドットパターンのアドレスを指定するために入力されているのではなく、一つのドットパターンの中のドット位置を指定するために入力されていることが理解できる。したがって、上記Ｄ０〜Ｄ４は「UDC RAM」に直接その信号が入力されているが、それは、本件発明の「記憶手段に記憶されている画像データのアドレスを直接指示する」ものとは異なる機能を有するものである。
　そして、本件発明は、その表示を行うとき、常に表示画像指定信号の供給が必要であるのに対し、上記甲第１号証に記載されたものは、キャラクタRAM、もしくは、UDCアドレスレジスタにアドレスデータが記憶されているため、上記表示画像指定信号の供給は、表示時には行われないという点で相違しており、このことは表示装置の制御が本質的に異なるものであることを示しているから、本件発明が、上記甲第１号証に記載された発明であるとはいえない。
　
５．むすび
　以上のとおりであるから、特許異議申立の理由および証拠によっては、本件発明の特許を取り消すことはできない。
　また、他に本件発明の特許を取り消すべき理由を発見しない。
　よって、結論のとおり決定する。
【異議決定日】
平成１２年３月２日（２０００．３．２）